(57)【要約】【課題】ファクシミリ送信に際して、送信元の通信端末装置から、受信側の通信端末装置に対して、受信側の通信端末装置にて実施させる処理をＴＳＩ情報として命令することができるファクシミリ通信システムに用いられる、使い勝ってのよい受信側の通信端末装置を提供する。【解決手段】受信側の通信端末装置である複合機１Ａには、印刷や転送時に、発信元電話番号より命じられた処理の内容を示す情報を少なくとも含む命令処理情報を、処理の対象となる画像データに合成する命令処理情報付加部６０、及び命令処理情報を操作表示部のディスプレイに表示する命令処理情報表示制御部８０が設けられている。【選択図】図１２
2012039233.tif 000002
【特許請求の範囲】
【請求項１】
ファクシミリを送信する送信元の通信端末装置から、ファクシミリを受信する受信側の通信端末装置に対して、該受信側の通信端末装置にて実施させる処理をファクシミリのＴＳＩ情報にて命令するファクシミリ通信システムにおいて、受信側の通信端末装置として使用される通信端末装置であって、
送信元の通信端末装置より命令された処理内容を示す情報を少なくとも含む命令処理情報を、当該通信端末装置のユーザに開示する情報開示手段を備えることを特徴とする通信端末装置。
【請求項２】
前記命令処理情報には、命令の指示元となるファクシミリの送信元の名称が含まれていることを特徴とする請求項１に記載の通信端末装置。
【請求項３】
前記情報開示手段は、
受信したファクシミリのＴＳＩ情報に基づいて、前記命令処理情報を作成する命令処理情報作成手段を備えることを特徴とする請求項１又は２に記載の通信端末装置。
【請求項４】
前記情報開示手段は、
命令された処理の対象となる本来の画像データに、前記命令処理情報の画像データを合成する画像データ合成手段を備えており、
命令された処理が本来の画像データに基づいた画像を印刷する処理である場合、前記画像データ合成手段にて合成された画像データに基づいた画像を印刷させることを特徴とする請求項１〜３の何れか１項に記載の通信端末装置。
【請求項５】
前記情報開示手段は、
当該通信端末装置の有する表示部に前記命令処理情報を表示するための表示データを作成する表示データ作成手段を備えており、
命令された処理を実施する際に、当該処理の前記命令処理情報を、前記表示データ作成手段にて作成された表示データに基づいて前記表示部に表示させることを特徴とする請求項１〜４の何れか１項に記載の通信端末装置。
【請求項６】
前記画像データ合成手段は、
命令された処理の対象となる本来の画像データに前記命令処理情報の画像データを合成する際の合成位置のユーザによる設定を可能にする位置設定手段を有しており、
前記位置設定手段を用いてユーザにて設定された合成位置に、命令処理情報の画像データを合成することを特徴とする請求項４に記載の通信端末装置。
【請求項７】
前記情報開示手段は、
命令された処理の対象となる本来の画像データに前記命令処理情報の画像データを、前記位置設定手段を用いて設定されている合成位置に合成した場合に、本来の画像データの画像と前記命令処理情報の画像データの画像とが重畳するか否かを判断し、重畳すると判断した場合に、本来の画像データの画像の縮小、前記命令処理情報の画像データの画像の縮小、及び前記命令処理情報の画像データの合成位置の変更、のうちの少なくとも何れか１つを実施して、重畳しないように合成の条件の調整を行う調整手段をさらに備え、
前記画像データ合成手段が、前記調整手段にて調整された合成の条件に基づいて画像データを合成することを特徴とする請求項６に記載の通信端末装置。
【請求項８】
前記情報開示手段は、命令された処理が画像データを指定された相手先に送信する処理の場合は、前記命令処理情報を、指定された相手先の通信端末装置のユーザにも開示することを特徴とする請求項１〜７の何れか１項に記載の通信端末装置。
【請求項９】
前記情報開示手段は、命令された処理が画像データを指定された相手先に送信する処理の場合は、前記命令処理情報を指定された相手先の通信端末装置のユーザにも開示し、
画像データを送信する処理がファクシミリによる送信処理の場合、前記画像データ合成手段にて合成された画像データを送信することを特徴とする請求項４に記載の通信端末装置。
【請求項１０】
前記情報開示手段は、命令された処理が画像データを指定された相手先に送信する処理の場合は、前記命令処理情報を指定された相手先の通信端末装置のユーザにも開示し、
画像データを送信する処理がファクシミリによる送信処理の場合、前記画像データ合成手段にて合成された画像データであって、前記調整手段が本来の画像データの画像と命令処理情報の画像データの画像とが重畳すると判断した場合には、重畳しないように調整された合成の条件にて合成された画像データを送信することを特徴とする請求項７に記載の通信端末装置。
【請求項１１】
前記情報開示手段は、
E-Mailの本文に前記命令処理情報を追加するメール本文追加手段を備え、
画像データを送信する処理がE-Mailによる送信処理である場合は、前記メール本文追加手段にてE-Mailの本文に前記命令処理情報を追加させて送信させることを特徴とする請求項８に記載の通信端末装置。
【請求項１２】
送信元の通信端末装置より命令された処理について、少なくとも、命令された日時の情報、命令した送信元の情報、及び命令された処理の内容を示す情報を、命令された処理の実施に関する結果の情報と共に記録して管理する命令処理管理手段を備えることを特徴とする請求項１〜１１の何れか１項に記載の通信端末装置。
【請求項１３】
前記命令処理管理手段は、
命令された処理ごとに、命令された処理に関する情報として、少なくとも、命令を受けた日時の情報、命令した送信元電話番号の情報、命令された処理の内容を示す情報、命令された処理の実施に関する結果の情報を記録していくことで情報管理テーブルを作成する情報管理テーブル作成手段を備えることを特徴とする請求項１２に記載の通信端末装置。
【請求項１４】
前記命令処理管理手段は、
情報管理テーブル作成手段が作成した情報管理テーブルに基づいて、命令した送信元電話番号ごとに、命令された処理に関する情報の集計を行う管理情報集計手段を備えることを特徴とする請求項１３に記載の通信端末装置。
【請求項１５】
前記命令処理管理手段は、
命令されて処理を実施した場合に、予め設定されている所定のアドレスへ、命令されて処理を行ったことを報告する報告メールを作成して送信させる実施処理報告手段を備えることを特徴とする請求項１２〜１４の何れか１項に記載の通信端末装置。
【請求項１６】
当該通信端末装置の通信結果を記録し、通信記録表を作成する通信記録表作成手段を備えており、
前記命令処理管理手段は、
前記通信記録表作成手段に対して、命令した送信元電話番号の情報及び命令された処理の内容を示す情報を出力する管理情報出力手段を備え、
前記通信記録表作成手段は、管理情報出力手段より取得した情報を通信記録表に反映させることを特徴とする請求項１２〜１５の何れか１項に記載の通信端末装置。
【請求項１７】
請求項１〜１６の何れか１項に記載の通信端末装置を動作させるプログラムであって、コンピュータを各手段として機能させるためのプログラム。
【請求項１８】
請求項１７に記載のプログラムを記録したコンピュータ読み取り可能な記録媒体。
【発明の詳細な説明】
【技術分野】
【０００１】
本発明は、電話回線網を介して画像データをファクシミリ送信する通信端末装置に関するものである。
【背景技術】
【０００２】
近年、電話回線網においては、発信元の電話番号を受信側に通知する発信元電話番号通知サービス（例えば、日本国におけるナンバーディスプレイサービス）が提供されている。このサービスを利用することで、受信側の通信端末装置（以下、通信端末と略記する）は、電話回線網から通知される発信元電話番号を取得することができる。
【０００３】
従来、このような発信元電話番号通知サービスを利用したり、受信した画像データに含まれるＴＳＩ情報を利用したりして、受信側の通信端末が発信元ユーザ（発信元の通信端末）を特定し、受信した画像データに対して、発信元ユーザに応じた所定処理を行うといった、自動仕分けも行われている。
【０００４】
上記ＴＳＩ情報とは、ファクシミリ通信において、送信先との通信を確立するにあたり、発信元の通信端末より送信する情報である。ＴＳＩ情報は、画像データを送信する前のフェーズで送信され、画像データはその後のフェーズで送信される。
【０００５】
ＴＳＩ情報は、通信端末のユーザが設定する情報を元にした２０桁以内の情報であり、通常は、発信元ユーザを特定できるように、発信元の電話番号が設定される。これにより、受信側の通信端末は、ＴＳＩ情報を用いて発信元ユーザを特定することができる。
【０００６】
また、例えば特許文献１には、ファクシミリ装置において、発信元電話番号通知サービスを利用すると共に、着呼時のカデンス回数を検出して、受信した画像データを転送する技術が開示されている。
【０００７】
これによれば、発信元電話番号とカデンス回数とに対応づけて、例えば「短縮００に転送」などの処理が定められている。転送を希望する場合、発信元のファクシミリ装置からは、相手先の着呼時のカデンス回数が、希望する転送先への転送処理を示すように、予め取り決めたルールに基づいて設定する。受信側のファクシミリ装置においては、カデンス回数を検出し、送信元電話番号と検出したカデンス回数とに応じて決定される相手先へと受信した画像データを送信（転送）する。
【０００８】
また、近年、コピー機能だけでなく、プリンタ機能、スキャナ機能、ファクシミリ機能、画像ファイリング機能等、複数の機能を兼ね備えた複合機と称される画像形成装置が普及しており、このような複合機にて、ファクシミリ送信されてきた画像データを受信して処理することも多くなってきている。
【先行技術文献】
【特許文献】
【０００９】
【特許文献１】特開平１１−８７５１号公報（１９９９年１月１２日公開）
【発明の概要】
【発明が解決しようとする課題】
【００１０】
しかしながら、上述のようなファクシミリの仕分け技術には、以下のような問題点がある。
【００１１】
受信側の通信端末が、発信元電話番号通知サービスやＴＳＩ情報を利用して、発信元ユーザを特定し、発信元ユーザに応じた処理を行う技術では、発信元ユーザ毎に予め定められている１つの処理しか実施することができない。
【００１２】
一方、ファクシミリ装置が、発信元電話番号とカデンス回数とに対応付けて、転送などを行う特許文献１の技術の場合は、発信元電話番号に加えてカデンス回数を利用しているので、発信元ユーザ毎に定められた１つの処理しかできないといった問題はない。
【００１３】
しかしながら、カデンス回数を利用しているため、カデンス回数を検出するための、特別な手段を設ける必要がある。また、転送先の情報（電話番号）については、発信元ユーザと着信側ユーザとの間で取り決めを行った上で予め設定しておく必要があり、発信元ユーザが、ファクシミリを送信する度に転送先を指定するといったことはできない。
【００１４】
また、利用できるカデンス回数は限られるため、設定できる処理数が限られるといった問題もある。上述したように、近年、複合機が普及しており、このような複合機にて、ファクシミリ送信されてきた画像データを受信して処理することも多くなってきている。上記したカデンス回数を利用して処理を設定する技術では、このような複数の機能を備えた複合機の機能を使いこなすような仕分け処理は実施できない。
【００１５】
本願出願人は、上記課題を解決するものとして、先に新規なファクシミリ通信システムを発明し、既に特許出願している。本願出願人が先に発明したファクシミリ通信システムでは、発信元電話番号通知サービスの提供により、受信側に発信元を知らせるといった役目のなくなったＴＳＩ情報を利用して、発信元の通信端末より受信側の通信端末に対して実施する処理を命令することができる。
【００１６】
つまり、ファクシミリの発信元となるユーザと受信側となるユーザとの間で、受信側のユーザの有する通信端末の機能に応じて、ＴＳＩ情報に含める命令コードにて命令する処理を種々設定しておく。そして、送信元のユーザは、受信側の通信端末における処理をＴＳＩ情報にて命令し、受信側の装置は、ＴＳＩ情報にて命令された処理を実施する。これにより、ユーザは、受信した情報の内容や重要性に応じた仕分け作業を、自らの手を煩わせることなく通信端末において実施させることができるので、非常に利便性の高いものとなる。
【００１７】
また、処理の命令にＴＳＩ情報を用いているので、カデンス回数を検出するための特別な手段を設ける必要がない。また、ＴＳＩ情報を用いることで、数字にて電話番号を情報に含めることができるので、受信側の通信端末に、電話番号が登録されていない相手先への転送も可能となる。また、２０桁で構成されるＴＳＩ情報を利用することで、受信側の通信端末が、近年、普及している複合機であったとしても、送信側より、複合機の機能を使いこなすような処理命令も可能になる。
【００１８】
しかしながら、上記ファクシミリ通信システムにおいては、送信元のユーザの指示により受信側の通信端末が自動的に動作するため、受信側のユーザからすると、自身が管理している通信端末が、何らの命令なしに動作を開始しているように感じ、驚きや、違和感・不信感を抱いたりすることが想定される。
【００１９】
詳細については後述するが、例えば、上記ファクシミリ通信システムにおける「転送」の処理では、送信元のユーザの指示により、受信側のユーザの指示なしに、ファクシミリ送信されてきた画像データを他の通信端末に転送する。また、「指定フォルダ返信」の処理では、送信元のユーザの指示により、受信側のユーザの指示なしに、受信側の通信端末に保存されている指定フォルダの画像データを、送信元の通信端末に返信する。また、「時刻指定プリント」の処理では、ファクシミリ送信されてきた画像データを、発信元のユーザの指示にて、受信側のユーザの指示なしに、発信元のユーザが指定した時刻にプリント（印刷）する。
【００２０】
これらの処理では、受信側のユーザが何の命令も指示していないのに、通信端末が動作を開始してジョブを実行するため、受信側のユーザとしては、急に動作を開始した通信端末に対して驚きを禁じえず、違和感・不信感を抱いたりする。
【００２１】
本発明は、このような本願出願人が先に提案している新規なファクシミリ通信システムにおける受信側の通信端末装置に適した、利便性の高い構成を提供することを目的としている。
【課題を解決するための手段】
【００２２】
本発明の通信端末装置は、上記課題を解決するために、ファクシミリを送信する送信元の通信端末装置から、ファクシミリを受信する受信側の通信端末装置に対して、該受信側の通信端末装置にて実施させる処理をファクシミリのＴＳＩ情報にて命令するファクシミリ通信システムにおいて、受信側の通信端末装置として使用される通信端末装置であって、送信元の通信端末装置より命令された処理内容を示す情報を少なくとも含む命令処理情報を、当該通信端末装置のユーザに開示する情報開示手段を備えることを特徴としている。
【００２３】
前述したように、本願出願人が先に提案している新規なファクシミリ通信システムにおいては、送信元のユーザの指示により受信側の通信端末装置が自動的に動作するため、受信側のユーザからすると、自身が管理している通信端末装置が、何らの命令なしに動作を開始しているように感じ、驚きや、違和感・不信感を抱いたりすることが想定される。
【００２４】
これに対し、上記構成では、情報開示手段が、送信元の通信端末装置より命令された処理内容を示す情報を少なくとも含む命令処理情報を、通信端末装置のユーザに開示するので、当該通信端末装置を管理している受信側のユーザは、自身が管理している通信端末装置が、何の命令もなく動作を開始した理由を知ることができる。これにより、たとえ一時的に驚いたり、違和感・不信感を抱いたりしたとしても、動作を開始した理由を理解し、命令された処理の内容を知ることで、驚きや、違和感・不信感を速やかに解消させることが可能となる。
【００２５】
それゆえ、本願出願人が先に提案している新規なファクシミリ通信システムにおける受信側の通信端末装置に適した、利便性の高い構成を提供することが可能となる。
【００２６】
ここで、前記命令処理情報には、命令の指示元となるファクシミリの送信元の名称が含まれていることがより好ましい。命令された処理の内容だけでなく、命令を発した発信元の名称も知ることで、驚きや、違和感・不信感をより速やかに解消させることができる。
【００２７】
本発明の通信端末装置において、前記情報開示手段は、受信したファクシミリのＴＳＩ情報に基づいて、前記命令処理情報を作成する命令処理情報作成手段を備える構成とすることもできる。
【００２８】
受信したファクシミリのＴＳＩ情報には、命令内容が含まれているので、ＴＳＩ情報に基づいて命令処理情報を作成することは容易にできる。したがって、このような命令処理情報作成手段を備えることで、情報開示手段をより容易に実現することができる。
【００２９】
本発明の通信端末装置において、前記情報開示手段は、命令された処理の対象となる本来の画像データに、前記命令処理情報の画像データを合成する画像データ合成手段を備えており、命令された処理が本来の画像データに基づいた画像を印刷する処理である場合、前記画像データ合成手段にて合成された画像データに基づいた画像を印刷させることを特徴とすることもできる。
【００３０】
これによれば、画像データ合成手段にて、命令された処理の対象となる本来の画像データに命令処理情報の画像データが合成され、命令された処理が印刷処理である場合は、命令された処理の対象となる本来の画像データの画像に命令処理情報の画像が合成された状態で印刷される。通信端末装置のユーザは、出力された印刷物に付加された命令処理情報より、自身が管理している通信端末装置が何の命令もなく動作を開始した理由を知ることができる。
【００３１】
また、この場合、位置設定手段にて合成位置のユーザによる設定を可能としておくことで、受信側のユーザの所望する位置に命令処理情報の画像を合成することが可能となる。
【００３２】
さらに、この場合、命令された処理の対象となる本来の画像データに前記命令処理情報の画像データを、前記位置設定手段を用いて設定されている合成位置に合成した場合に、本来の画像データの画像と前記命令処理情報の画像データの画像とが重畳するか否かを判断し、重畳すると判断した場合に、本来の画像データの画像の縮小、前記命令処理情報の画像データの画像の縮小、及び前記命令処理情報の画像データの合成位置の変更、のうちの少なくとも何れか１つを実施して、重畳しないように合成の条件の調整を行う調整手段を備え、前記画像データ合成手段が、前記調整手段にて調整された合成の条件に基づいて画像データの合成を行う構成とすることが好ましい。
【００３３】
これにより、本来の画像データの画像と前記命令処理情報の画像データの画像とが重畳することを回避することができる。
【００３４】
また、前記情報開示手段は、命令された処理が画像データを指定された相手先に送信する処理の場合は、前記命令処理情報を、指定された相手先の通信端末装置のユーザにも開示する構成とすることがより好ましい。
【００３５】
例えば、転送先ユーザが、本通信端末装置を管理するユーザ（受信側のユーザ）を知らない場合、見知らぬ送信元より届いた画像データ等の送信データに不信感を抱くことが考えられる。これに対し、上記構成によれば、どのような経緯で見知らぬユーザからデータが送信されてきたかを容易に把握することができる。
【００３６】
この場合、画像データを送信する処理がファクシミリによる送信処理の場合、画像データ合成手段にて合成された画像データを送信する構成とすることができ、より好ましくは、調整手段にて重畳しないように調整された合成の条件にて合成された画像データを送信するである。
【００３７】
また、画像データを送信する処理がE-Mailによる送信処理の場合は、E-Mailの本文に前記命令処理情報を追加するメール本文追加手段にてE-Mailの本文に前記命令処理情報を追加させて送信させる構成とすることが好ましい。
【００３８】
本発明の通信端末装置において、前記情報開示手段は、当該通信端末装置の有する表示部に前記命令処理情報を表示するための表示データを作成する表示データ作成手段を備えており、命令された処理を実施する際に、当該処理の前記命令処理情報を、前記表示データ作成手段にて作成された表示データに基づいて前記表示部に表示させることを特徴とすることもできる。
【００３９】
これによれば、表示データ作成手段にて、当該通信端末装置の有する表示部に前記命令処理情報を表示するための表示データが作成され、作成された表示データにて命令処理情報が表示部に表示される。通信端末装置のユーザ（受信側のユーザ）は、表示部に表示された命令処理情報より、自身が管理している通信端末装置が何の命令もなく動作を開始した理由を知ることができる。
【００４０】
本発明の通信端末装置において、送信元の通信端末装置より命令された処理について、少なくとも、命令された日時の情報、命令した送信元の情報、及び命令された処理の内容を示す情報を、命令された処理の実施に関する結果の情報と共に記録して管理する命令処理管理手段を備えていることを特徴とすることもできる。
【００４１】
これによれば、命令処理管理手段にて、信元の通信端末装置より命令された処理について、少なくとも、命令された日時の情報、命令した送信元の情報、及び命令された処理の内容を示す情報を、命令された処理の実施に関する結果の情報と共に記録して管理されるので、後日、発信元電話番号に対して、本通信端末装置の使用の仕方に応じて課金を行ったりすることが可能となる。
【００４２】
これは、新規なファクシミリ通信システムでは、受信側のユーザの指示なしで、受信側のユーザの費用負担にて通信ネットワークを使用するため、使われ方によっては、受信側のユーザが思いもしない料金が発生してしまうことが考えられるためである。例えば、送信元のユーザより、大量の画像データを多数の相手先へと転送するよう指示された場合などである。このような場合に、使われ方を管理しておくことが重要である。
【００４３】
この場合、命令処理管理手段は、命令された処理ごとに、命令された処理に関する情報として、少なくとも、命令を受けた日時の情報、命令した送信元電話番号の情報、命令された処理の内容を示す情報、命令された処理の実施に関する結果の情報を記録していくことで情報管理テーブルを作成する情報管理テーブル作成手段を備えている構成とすることがより好ましい。
【００４４】
このような情報管理テーブルが作成されることで、本通信端末装置の使用され方を容易に管理することができる。
【００４５】
また、命令処理管理手段は、情報管理テーブルに基づいて、命令した送信元電話番号ごとに、命令された処理に関する情報の集計を行う管理情報集計手段を備える構成とすることもできる。
【００４６】
このように、発信元電話番号ごとに管理情報の集計を可能としておくことで、各発信元電話番号の、本通信端末装置に対する命令処理の内容を容易に把握することができる。そして、この機能を用いることで、発信元電話番号の本機能の利用の仕方を容易に解析することが可能となり、処理の命令を、発信元電話番号に応じて規制したり、制限したりする際に有効に利用できる。
【００４７】
また、前記命令処理管理手段は、命令されて処理を実施した場合に、予め設定されている所定のアドレスへ、命令されて処理を行ったことを報告する報告メールを作成して送信させる実施処理報告手段を備える構成とすることもできる。
【００４８】
ここで、所定のアドレスとしては、本通信端末装置を管理している管理者のアドレス等が考えられる。このような報告手段を設けておくことで、本通信端末装置の管理者は、通信端末装置が設置されている場所とは離れた場所にいながらにして、各発信元電話番号のユーザによる本通信端末装置の使い方を把握することができる。
【００４９】
さらに、前記命令処理管理手段は、通信記録表作成手段に対して、命令した送信元電話番号の情報及び命令された処理の内容を示す情報を出力する管理情報出力手段を備え、通信記録表作成手段が、管理情報出力手段より取得した情報を通信記録表に反映させる構成とすることもできる。
【００５０】
これにより、本通信端末装置のユーザは、通信記録表を出力させることで、各発信元電話番号のユーザによる本通信端末装置の使い方を把握することができる。
【００５１】
また、前記通信端末装置における各手段は、コンピュータによって実現してもよく、この場合には、コンピュータを前記通信端末装置における各手段として動作させることにより、前記通信端末装置をコンピュータにて実現させるプログラム、及びそれを記録したコンピュータ読み取り可能な記録媒体も、本発明の範疇に含まれる。
【発明の効果】
【００５２】
これにより、本願出願人が先に提案している新規なファクシミリ通信システムにおいて懸念される、受信側のユーザの驚きや、違和感・不信感を解消できる、受信側の通信端末装置としてより利便性の高い構成を提供することができるといった効果を奏する。
【図面の簡単な説明】
【００５３】
【図１】本発明の通信端末装置が前提とするファクシミリ通信システムにおける受信側の通信端末装置であり、ファクシミリの発信元からの命令にしたがって処理する命令実施処理を実施する複合機、の機能ブロック図である。
【図２】図１の複合機の回路ブロック図である。
【図３】従来のファクシミリ通信に用いられているＴＳＩ情報の例を示す図である。
【図４】発信元電話番号通知サービスを提供する加入者交換機と情報受信端末との接続シーケンスを説明する図である。
【図５】図１の複合機が備える、第１発信元電話番号テーブルの内容例を示す図である。
【図６】本実施の形態のファクシミリ通信システムに用いられるＴＳＩ情報の例を示す図である。
【図７】図１の複合機が備える、命令テーブルの内容例を示す図である。
【図８】上記ファクシミリ通信システムに用いられるＴＳＩ情報の例を示す図である。
【図９】上記ファクシミリ通信システムにおける処理の一例のイメージを示すものであり、発信元のファクシミリ装置からファクシミリ送信された画像データを、発信元のファクシミリ装置の命令にしたがって、指定された相手先のファクシミリ装置へと、図１の複合機が転送する処理のイメージを示す図である。
【図１０】上記ファクシミリ通信システムに用いられるＴＳＩ情報の例を示す図である。
【図１１】図１の複合機における命令実施処理の手順を示すフローチャートである。
【図１２】本発明の実施形態を示すもので、ファクシミリの受信側の通信端末装置としての複合機であって、ファクシミリの発信元から命令された処理を実施する複合機の機能ブロック図である。
【図１３】図１２の複合機が備える第２発信元電話番号テーブルの内容例を示す図である。
【図１４】図１２の複合機が備えるメッセージテーブルの内容例を示す図である。
【図１５】図１２の複合機が備える命令処理情報付加部及び命令処理情報表示制御部の機能ブロック図である。
【図１６】図１２の複合機が備える命令処理情報付加部にて本来の画像データの画像に命令処理情報が合成された印刷物の一例を示す図である。
【図１７】図１２の複合機が備える命令処理情報付加部にて、本来の画像データの画像に命令処理情報を合成する際の調整方法を説明するもので、調整後の印刷物の一例を示す図である。
【図１８】図１２の複合機で実施される処理の１つである、本来の画像データを格納した画像ファイルを、ＦＴＰ機能にてファイルサーバに画像送信し、転送先にハイパーリンク付きのE-Mailを作成して送信する処理のイメージを示す図である。
【図１９】図１２の複合機が備える命令処理情報付加部にて実施される、印刷処理が命令された場合の情報開示処理の手順を示すフローチャートである。
【図２０】図１２の複合機が備える命令処理情報付加部にて実施される、ファクシミリ送信処理（ファクシミリにて画像データを転送する処理）が命令された場合の情報開示処理の手順を示すフローチャートである。
【図２１】図１２の複合機が備える命令処理情報付加部にて実施される、インターネットＦＡＸ等のE-Mail送信処理（E-Mailに添付して転送する処理）が命令された場合の情報開示処理の手順を示すフローチャートである。
【図２２】図１２の複合機が備える命令処理情報付加部にて実施される、ＦＴＰ機能でファイルサーバに画像ファイルを格納するなどのE-Mail送信以外の送信処理（画像ファイルを所定のファイルサーバに転送する処理）が命令された場合の情報開示処理の手順を示すフローチャートである。
【図２３】図１２の複合機が備える命令処理情報表示制御部にて、「時刻指定プリント」処理の実行中に操作表示部のディスプレイに表示される命令処理情報の表示例を示す図である。
【図２４】図１２の複合機が備える命令処理情報表示制御部にて実施される、操作表示部のディスプレイに命令処理情報を表示する情報開示処理の手順を示すフローチャートである。
【図２５】図１２の複合機が備える命令処理管理部の機能ブロック図である。
【図２６】図１２の複合機が備える情報管理テーブルの内容例を示す図である。
【図２７】図１２の複合機が備える命令処理管理部の管理情報集計部にて集計されて印刷された集計結果表の一例を示す図である。
【発明を実施するための形態】
【００５４】
［実施の形態１］
以下、本発明の実施の一形態について、図１〜図２７を用いて以下に説明する。
【００５５】
まず、図１〜１１を用いて、本発明の通信端末装置が前提としている、本願出願人が先に提案している新規なファクシミリ通信システムについて説明する。
【００５６】
図２に、上記ファクシミリ通信システムにおける受信側の通信端末装置としての複合機（ＭＦＰ装置）１の回路ブロック図を示す。後述する本発明にかかる本実施形態の通信端末装置としての複合機１Ａは、この複合機１の構成を前提としており、複合機１の構成を全て有している。
【００５７】
複合機１は、主制御部１２、システムメモリ１３、パラメータメモリ１４、スキャナ１５、プリンタ１６、網制御部１７、モデム（ＮＣＵ：Network Control Unit）１８、画像蓄積メモリ１９、符号化・復号化部２０、操作表示部２１を備え、上記各部は、システムバス２３により接続されている。
【００５８】
システムメモリ１３は、ＲＯＭ（Read Only Memory）及びＲＡＭ（Random Access Memory）などで構成されており、複合機１における、複写処理、印刷処理、ファクシミリ通信処理、画像ファイリング処理等の基本処理プログラムと共に、ファクシミリを受信した際に、ファクシミリの送信元からＴＳＩ情報にて命令された処理を実施する命令実施処理プログラムが格納されている。また、これら各種の処理プログラムを実行するのに必要な各種データ及びシステムデータが格納されている。
【００５９】
さらに、システムメモリ１３は、主制御部１２のワークメモリとしても利用され、主制御部１２が、各種の処理プログラムに基づいて複合機１の各部を制御する際の演算途中の各種データや演算結果の各種データ、例えば、後述する回線Ｌから通知される発信元電話番号やＴＳＩ情報等を記憶する。
【００６０】
主制御部１２は、ＣＰＵ（Central Processing Unit）などを備え、システムメモリ１３内の各種の基本処理プログラム及び命令実施処理プログラムに基づいて、システムメモリ１３をワークメモリとして利用しつつ複合機１の各部を制御して、複合機１としての基本処理を実行するとともに命令実施処理を実行する。
【００６１】
パラメータメモリ１４は、命令実行処理における命令を受け付ける（処理を命令することを許可する）ファクシミリの送信元（発信元）の電話番号を記憶した第１発信元電話番号テーブル５（図５参照）を記憶すると共に、ＴＳＩ情報に含まれた命令コードと処理内容との関係を示す命令テーブル（図７参照）等を記憶している。
【００６２】
スキャナ１５は、例えば、ＣＣＤ（Charge Coupled Device ）を利用したイメージスキャナ等よりなり、一般に、ＡＤＦ（自動原稿送り装置）を備えている。ＡＤＦには、複数枚の原稿がセットされ、ＡＤＦは、セットされた原稿を１枚ずつスキャナ１５の原稿読取位置に送給する。スキャナ１５は、ＡＤＦから搬送されてきた原稿を走査し、原稿の画像を所定の解像度で読み取り画像データを生成する。
【００６３】
プリンタ１６は、例えば、インクジェットや電子写真方式を利用した記録装置よりなり、受信した画像データやスキャナ１５で読み取った画像データを記録用紙にプリント（記録出力）する。
【００６４】
網制御部１７には、回線Ｌ、例えば、公衆電話回線等が接続されており、回線の捕捉、発信元電話番号である選択信号の送出及び着信の検出等を行って、所定の発呼動作及び着信動作を行う。複合機１に接続されている回線Ｌは、発信元電話番号通知サービスを提供する。
【００６５】
モデム（発信元電話番号取得部、ＴＳＩ情報取得部）１８は、網制御部１７に接続されており、網制御部１７を介して電話回線と接続されている。モデム１８は、例えば、Ｇ３（グループ３）のファクシミリモデム機能を備えている。モデム１８は、伝送制御信号を送受信するための低速モデム（例えば、Ｖ．２１等）及び主に画像データを送受信するための高速モデム（例えば、Ｖ．１７、Ｖ．２９あるいはＶ．２７等）等を備え、特に、発信元電話番号を受信するためのモデム機能（例えば、Ｖ．２３）を備えている。モデム１８は、モデム機能を使用して、送信信号の変調及び受信信号の復調を行うとともに、回線Ｌの提供する発信元電話番号通知サービスにより通知される発信元電話番号を取得して、取得した発信元電話番号を主制御部１２に出力する。また、送信元より送信されるＴＳＩ情報を受信して取得し、主制御部１２に出力する。
【００６６】
主制御部１２は、モデム１８より入力される発信元電話番号が、第１発信元電話番号テーブルに格納されているかどうかを判断する。また、主制御部１２は、モデム１８より入力されるＴＳＩ情報に命令コードが含まれているかどうかを判断する。そして、主制御部１２は、入力された発信元電話番号が、第１発信元電話番号テーブル５に格納されており、かつ、ＴＳＩ情報に命令コードが含まれていると判断すると、命令テーブル６を参照し、命令コードに対応した処理を決定し、各種処理部７へ命令された処理を実施するよう通知する。
【００６７】
画像蓄積メモリ１９は、ハードディスク等で構成され、スキャナ１５により読み取られた原稿の画像データを蓄積するとともに、受信した画像データを蓄積する。読み取った画像データや、受信した画像データは、予め定められている所定の蓄積用ファルダに蓄積される。また、画像蓄積メモリは、主制御部１２による画像ファイリング（ファイリング保存）処理のデータ格納先としても利用され、画像ファイリングされる画像データを保存する記憶装置でもある。また、命令実施処理における返信処理にて発信元へと送信される画像データの格納先の記憶装置でもある。
【００６８】
符号化・復号化部２０は、画像データの画像蓄積メモリ１９への蓄積の効率化及び伝送時間の短縮化を図るためのものであり、所定の符号化方式にしたがって画像データを符号化し、また、符号化された画像データを復号化する。
【００６９】
操作表示部２１は、テンキー、スタートキー及びワンタッチキー等の各種操作キーを備えるとともに、ディスプレイ（例えば、液晶ディスプレイ）を備え、操作キーからは、送信操作等の各種命令が入力され、ディスプレイには、操作キーから入力された命令内容や複合機１から複合機１のオペレータに通知する各種情報が表示される。
【００７０】
次に、複合機１にて実施される、ファクシミリのＴＳＩ情報にて命令された処理を実施する命令実施処理について説明する。
【００７１】
複合機１は、その特徴として、発信元電話番号通知サービスを提供する回線Ｌを介して相手先のファクシミリ装置（通信端末）から送信されてくるＴＳＩ情報に含まれる命令コードを判別し、命令コードにて命令された処理を実施する機能を有している。
【００７２】
ＴＳＩ情報とは、ファクシミリ通信において、送信先との通信を確立するにあたり、発信元の通信端末より送信する情報である。ＴＳＩ情報は、送信側の通信端末の識別が入っている情報であり、通信端末にユーザが自由に登録する電話番号等の情報を２０桁以内で格納している。通常は、受信側でファクシミリの発信元が特定できるように、図３に示すような、「電話番号」が、ＴＳＩ情報として設定される。
【００７３】
ＴＳＩ情報として、アルファベットを使える機種もあるが、一般的なファクシミリ装置においては、ＴＳＩ情報は、「０〜９」までの数字と、「＋」、「＊」、「＃」及び「  （スペース）」にて構成されている。
【００７４】
しかしながら、近年提供されるようになった発信元電話番号知サービスを利用することで、ＴＳＩ情報に発信元の電話番号を設定しなくても、受信側では発信元を特定することが可能となる。
【００７５】
そこで、本発明の通信端末装置が前提としているファクシミリ通信システムでは、複合機１と相手先の通信端末との間で、受信側の通信端末装置である複合機１が実施する処理内容と、その処理を命令する命令コードとを予め取り決めておく（ルール化しておく）。そして、発信元ユーザは、発信元の通信端末装置より、受信側の通信端末装置に実施させる処理の命令コードをＴＳＩ情報に含ませて送信し、受信側の通信端末装置である複合機１においては、ＴＳＩ情報に含まれる命令コードにて命じられる処理を実施する。
【００７６】
まず、図４を用いて、発信元電話番号通知サービスを提供する加入者交換機と情報受信端末との接続シーケンスを説明する。
【００７７】
複合機１の接続されている回線Ｌは、発信元の電話番号（発信元電話番号）を着信元に通知する発信元電話番号通知サービスを提供する。すなわち、当該回線Ｌの交換機（加入者線交換機）は、図４に示すように、情報受信端末（複合機１等）に着信を行う際に、まず、発信元の情報端末（電話機やファクシミリ装置等）から回線Ｌ（Ｌ１、Ｌ２）の極性を反転した後、情報受信端末起動信号を送出する情報受信端末の起動処理を行う。次いで、情報受信端末から１次応答信号（直流ループ）を受信すると、発信元電話番号（Ｖ．２３モデム）を情報受信端末に送信する情報の送出を行う。次に、交換機は、情報受信端末から受信完了信号（直流ループ断）を受信すると、呼出信号を情報受信端末に送出するとともに、同時に、発信側へ呼出音を送出する端末の呼出を行い、情報受信端末から２次応答信号（直流ループ）を受信すると、発信元の情報端末から回線Ｌ（Ｌ１、Ｌ２）の極性を復極し、通信パスを形成する。通信パスが形成されることで、発信元の情報端末より情報受信端末へとファクシミリ通信が行われる中で、情報端末の能力交換手順が行われる中に、送信側からのＴＳＩ情報が通知される。
【００７８】
図４の情報受信端末としての複合機１は、回線Ｌの発信元電話番号通知サービスとＴＳＩ情報とを利用して、命令実施処理を実施する。また、ファクシミリの発信元となるファクシミリ装置は、受信側の通信端末装置である複合機１との間で、予め定められている取り決めにしたがって設定された命令コードであり、複合機１にて実施させる処理を命令する命令コードが含まれたＴＳＩ情報を送信する送信部を少なくとも有している。
【００７９】
図１に、ファクシミリのＴＳＩ情報にて送信元より命令された処理の内容を判別し、これを実施する複合機１の機能ブロック図を示す。
【００８０】
着信があると、図２のモデム１８にて構成される発信元電話番号取得部２が、発信元の電話番号である発信元電話番号を取得し、図２の主制御部１２にて構成される処理決定部４に出力する。また、着信がファクシミリ通信である場合、図２のモデム１８にて構成されるＴＳＩ情報取得部３が、発信元の情報端末より情報受信端末へとファクシミリ通信が行われる中で、情報端末の能力交換手順が行われる中に、送信側から送信されたＴＳＩ情報を取得し、図２の主制御部１２にて構成される処理決定部４に出力する。
【００８１】
処理決定部４は、図２のパラメータメモリ１４に記憶されている第１発信元電話番号テーブル５を参照して、発信元電話番号取得部２より入力された発信元電話番号が格納されているかどうかを判断する。
【００８２】
図５に、第１発信元電話番号テーブル５の一例を示す。第１発信元電話番号テーブル５には、命令実施処理の対象となる相手先（換言すれば、命令実施処理を行うことが許可されている相手先）の電話番号が格納されている。この第１発信元電話番号テーブル５は、図２の操作表示部２１のキー操作により設定することができ、また、その内容の変更及び消去を行うことができる。
【００８３】
なお、短縮番号「００１」、「００２」…などを割り当てて、電話番号を含む相手先情報を管理する相手先情報テーブルを備えている構成においては、第１発信元電話番号テーブル５に代えて、相手先情報テーブルにおいて、登録されているユーザ毎（発信元電話番号毎）に、命令実施処理の対象であるかどうかを設定するようにしてもよい。
【００８４】
さらに、処理決定部４は、ＴＳＩ情報取得部３より入力されたＴＳＩ情報に命令コードが含まれているか否かを判別し、含まれている場合は、図２のパラメータメモリ１４に記憶されている命令テーブル６を参照して、命令コードに対応する処理を実施する処理として決定し、各種処理部７へ処理の実行を指示する。
【００８５】
複合機１においては、後述する図１１のフローチャートに示すように、処理決定部４は、ＴＳＩ情報に命令コードが含まれているかどうかをまず判断し、命令コードが含まれている場合に、発信元電話番号が第１発信元電話番号テーブル５に登録されているかどうかを判断する第１の手順としているが、先に発信元電話番号の登録を確認し、そのあと命令コードを確認する、第１の手順とは逆の第２の手順であってもよい。各手順のメリットとしては、先に発信元電話番号の登録有無を確認する場合、同一の命令コードを発信元によって異なる意味の命令として使用でき、２０桁の制限と使用可能文字からくるコード組み合わせの不自由さをある程度解消できる上に、発信元毎の詳細なカスタマイズが可能となる。
【００８６】
各種処理部７は、処理決定部４にて決定された処理を、複合機１における印刷処理、ファクシミリ送受信処理、画像ファイリング処理等の基本処理プログラムを利用して実施する。具体的には、受信した画像データであって、画像蓄積メモリ１９の所定の蓄積用フォルダに格納されている画像データを、プリンタ１６を用いて記録用紙に出力（プリント）したり（印刷処理）、符号化・復号化部２０、モデム１８、及び網制御部１７を用いて、指定された相手先に転送したり（転送処理）、或いは、画像ファイリング処理にて、画像蓄積メモリ１９における指定された保存先にファイリング保存したりする（保存処理）。また、各種処理部７は、ファクシミリの発信元に、画像蓄積メモリ１９に予め格納されている画像データを返信する返信処理（指定フォルダ返信処理）も実施する。
【００８７】
図６に、上記のような取り決めのもと、複合機１へと送信されてきたＴＳＩ情報の一例を示す。図６の例では、命令コード「＋＋＃００１」が含まれている状態である。本実施の形態の通信端末装置が前提としているファクシミリ通信システムにおいては、相手先との取り決めのもと、ＴＳＩ情報の先頭の６桁に、命令コードのうちのメインコード（主コード）を入力し、６桁目以降に、メインコードで示される処理を実施するのに必要な詳細情報であるサブコード（副コード）を必要に応じて入力するようになっている。したがって、命令コードは、６桁のメインコードのみからなるものもあれば、６桁を超えるメインコード＋サブコードとで構成されているものもある。なお、以下、メインコードとサブコードとを特に区別する必要がある場合を除いて、メインコード単独で構成される命令コードも、メインコード＋サブコードで構成される命令コードも、命令コードと称する。
【００８８】
処理決定部４は、ＴＳＩ情報の先頭６桁のメインコードを抽出し、抽出した６桁の文字列を、命令テーブル６に参照して、命令テーブル６に記憶されている命令コード群の中にあるかどうかを判断する。
【００８９】
そして、命令コードが含まれている場合は、命令コードに対応付けられている処理を読み出し、これを送信元より命令された処理であると決定し、各種処理部７へと指示する。
【００９０】
なお、ＴＳＩ情報における先頭６桁のうちの先頭からの３桁を数字ではなく記号としていることで、先頭が０番より始まる電話番号との区別が付け易い。また、先頭からの３桁が数字ではなく記号である場合のみ、命令テーブル６に記憶されている命令コード群の中にあるかどうかを判断させる構成としてもよい。
【００９１】
図７に、命令テーブル６の一例を示す。図７に示すように、命令コードと処理内容とがテーブル形式で設定されており、命令コード毎に、当該命令コードに対する複合機１での処理内容が設定されている。この命令テーブル６は、複合機１の操作表示部２１のキー操作により設定することができ、また、その設定内容の変更及び消去を行うことができる。
【００９２】
図７に設定されている各命令コードの処理内容について、図８（ａ）〜（ｆ）に示すＴＳＩ情報の具体例と共に説明する。
【００９３】
命令コードのメインコード「＋＋＃００１」には、処理内容として、即時プリント処理が設定されている。即時プリント処理では、画像蓄積メモリ１９の所定の蓄積用フォルダに格納された当該ファクシミリ通信にて受信した画像データが、プリンタ１６を用いて即刻プリント（印刷）される。
【００９４】
命令コードのメインコード「＋＋＃００２」には、処理内容として、メインコードに続くサブコードで示される時刻にプリントする処理（時刻指定プリント処理）が設定されている。
【００９５】
時刻指定プリント処理では、画像蓄積メモリ１９の所定の蓄積用フォルダに格納された当該ファクシミリ通信にて受信した画像データが、指定された時刻にプリントされる。図８（ａ）に、このようなメインコード「＋＋＃００２」とプリント時刻を指定するサブコード「＋＊１０００」とを含むＴＳＩ情報を示す。サブコード「＋＊１０００」にしたがって、午前１０：００にプリントされる。例えば、午後１１：２０にプリントさせたい場合は、発信元ユーザは、サブコードを「＊＋１１２０」とすればよい。つまり、ＴＳＩ情報に、命令コード「＋＋＃００２＊＋１１２０」を含めればよい。
【００９６】
命令コードのメインコード「＋＋＃００３」には、処理内容として、メインコードに続くサブコードで示される日数待機した後プリントする処理（期間保持プリント処理）が設定されている。期間保持プリント処理では、画像蓄積メモリ１９の所定の蓄積用フォルダに格納された当該ファクシミリ通信にて受信した画像データが、指定された期間保持された後にプリントされる。図８（ｂ）に、このようなメインコード「＋＋＃００３」と保持する時間を指定するサブコード「＃＊＊０００６」とを含むＴＳＩ情報を示す。サブコード「＃＊＊０００６」にしたがって、受信日より６日間保持（待機）した後、プリントされる。例えば、送信日より３日間後にプリントさせたい場合は、発信元ユーザは、サブコードを「＃＊＊０００３」とすればよい。つまり、ＴＳＩ情報に、命令コード「＋＋＃００３＃＊＊０００３」を含めればよい。
【００９７】
命令コードのメインコード「＋＋＃００４」には、処理内容として、見てからプリント処理が設定されている。見てからプリント処理では、画像蓄積メモリ１９の所定の蓄積用フォルダに格納された当該ファクシミリ通信にて受信した画像データに対してはプリントする処理を実施せず、操作表示部２１等を利用して、複合機１のオペレータに、ファクシミリを受信したことを報知するのみに留める。そして、オペレータがプリント（印刷）を指示した場合にプリントする。これにより、不要なプリントを回避できる。
【００９８】
なお、時刻指定プリントや期間保持プリント、見てからプリントにおいては、指定された時刻に到達するまで、或いは指定された待機期間が過ぎるまで、或いは印刷実行が指示されるまで、プリントジョブを待機ジョブとして管理することとなる。
【００９９】
命令コードのメインコード「＋＃＃００１」には、処理内容として、メインコードに続くサブコードで示される電話番号に転送する処理（転送処理）が設定されている。この処理では、画像蓄積メモリ１９の所定の蓄積用フォルダに格納された当該ファクシミリ通信にて受信した画像データが、指定されている電話番号に、ファクシミリ通信の機能を用いて転送される。図８（ｃ）に、このようなメインコード「＋＃＃００１」と転送先の電話番号であるサブコード「０１２３４５６７８９」とを含むＴＳＩ情報を示す。サブコード「０１２３４５６７８９」の電話番号に、画像データは転送される。図９に、発信元のファクシミリ装置１０１からファクシミリ送信された画像データを、発信元のファクシミリ装置１０１が指定した相手先のファクシミリ装置１０２へと、複合機１が転送する処理のイメージを示す。
【０１００】
命令コードのメインコード「＋＃＃００２」には、処理内容として、メインコードに続くサブコードで示される短縮番号に転送する処理（転送処理）が設定されている。この処理では、画像蓄積メモリ１９の所定の蓄積用フォルダに格納された当該ファクシミリ通信にて受信した画像データが、指定されている短縮番号の相手先にファクシミリ通信の機能を用いて転送される。図８（ｄ）に、このようなメインコード「＋＃＃００２」と転送先の短縮番号であるサブコード「♯００１」とを含むＴＳＩ情報を示す。サブコード「♯００１」が示す短縮番号「００１」の相手先に、画像データは転送される。
【０１０１】
このようなメインコード「＋＃＃００２」は、図２のパラメータメモリ１４が、相手先情報テーブルを備えている場合であり、複合機１の相手先情報テーブルにおける相手先と短縮番号との対応付けを、発信元ユーザが認識していることが前提となる。
【０１０２】
命令コードのメインコード「＃＃＊００１」には、処理内容として、メインコードに続くサブコードで示されるフォルダに画像ファイリングする処理（ファイリング保存処理、保存処理）が設定されている。この処理では、画像蓄積メモリ１９の所定の蓄積用フォルダに格納された当該ファクシミリ通信にて受信した画像データが、画像蓄積メモリ１９内の指定されている画像ファイリング用の所定フォルダに保存される。図８（ｅ）に、このようなメインコード「＃＃＊００１」と保存先のフォルダ情報であるサブコード「＃００１００」とを含むＴＳＩ情報を示す。サブコード「＃００１００」のフォルダに、画像データは保存される。
【０１０３】
また、命令コードのメインコード「＃＊＊００１」には、処理内容として、メインコードに続くサブコードで示される指定フォルダにあるデータ（画像データ）を、ファクシミリの発信元に送信する指定フォルダ返信処理が設定されている。この処理では、画像蓄積メモリ１９の所定の蓄積用フォルダに格納された当該ファクシミリ通信にて受信した画像データに対しては処理を実施せず、画像蓄積メモリ１９内の指定されている返信用フォルダに保存されている画像データを、発信元電話番号に送信する。図８（ｆ）に、このようなメインコード「＃＊＊００１」と、送信（返信）を希望する画像データが格納されているフォルダ情報であるサブコード「＃００５００」とを含むＴＳＩ情報を示す。サブコード「＃００５００」のフォルダにある画像データが、発信元へと送信される。
【０１０４】
指定フォルダ返信処理を命じるメインコード「＃＊＊００１」の使い方としては、例えば、以下のような場合が考えられる。つまり、発信元から、複合機１のユーザに対して注文票の送信を要求する内容の画像データを送信し、ＴＳＩ情報に、このような指定フォルダ返信処理を命じるメインコード「＃＊＊００１」を含め、サブコードとして、注文票の画像データが格納されているフォルダを指定する。これにより、発信元は、複合機１のオペレータの手を煩わせることなく、注文票を受け取ると共に、注文票の送付を要求したことを、複合機１のオペレータ（複合機１のユーザ）に認識させることができる。他の例としては、通常は、フォルダ保存として利用している複合機１のフォルダの内容の送信を要求することで、内容の引き出しや、確認を行うことができる。
【０１０５】
なお、図７の命令テーブル６は、命令コードとしてのメインコードと処理内容の一例を記載しているに過ぎず、命令コードは、発信元となるユーザとの間で、発信元電話番号やユーザ名が設定される、発信元を特定させるための情報欄としての利用と重複する可能性のあるコードを避けて、適宜設定すればよい。
【０１０６】
また、図１０（ａ）（ｂ）に、メインコードに続くサブコードを複数設定し、発信元より、より高度な処理を指示する例を示す。
【０１０７】
図１０（ａ）には、メインコード「＋＋＃００３」と、これに続く第１サブコード「＋＊１０００」と、さらにこれに続く第２サブコード「＊＊２＃＊１」とを含むＴＳＩ情報を示す。ここで、第２サブコード「＊＊２＃＊１」は、プリントするときの画像編集を指示しており、具体的には、２枚分の原稿画像を記録用紙１枚分に集約して記録する「２ｉｎ１」出力を指示している。
【０１０８】
複合機１における処理決定部４は、命令コードにおいて、メインコードの後、或いはメインコードに続く第１サブコードの後に、このような第２サブコード、或いはさらに続く第３、第４のサブコードがある場合、メインコード、或いはメインコード＋第１サブコードにて示される処理内容に加えて、それ以降のサブコードで指定された処理を実施する。
【０１０９】
プリントするときの画像編集としては、Ｎｉｎ１出力の他、ステープル指定、両名印刷して、出力用紙サイズ指定などが考えられる。
【０１１０】
また、図１０（ｂ）には、メインコード「＋＃＃００２」と、これに続く第１サブコード「♯００１」と、さらにこれに続く第２、第３サブコード「♯００２」「♯００５」とを含むＴＳＩ情報を示す。ここで、第２、第３サブコード「♯００２」「♯００５」は、当該ファクシミリ通信にて受信した画像データを転送すべき、第２、第３の相手先の短縮番号が指定されており、複合機１における処理決定部４は、第２、第３サブコード「♯００２」「♯００５」に示される短縮番号「００２」「００５」の相手先にも、当該ファクシミリ通信にて受信した画像データを転送する。
【０１１１】
次に、図１１のフローチャートを用いて、命令実施処理の手順について説明する。
【０１１２】
複合機１は、図１１に示すように、待機状態において、主制御部１２は、着信があったかどうかをチェックし（ステップＳ１）、着信があったときは、発信元電話番号情報（ナンバーディスプレイ情報）、ＴＳＩ情報、画像データを受信する（ステップＳ２）。
【０１１３】
次に、主制御部１２は、ＴＳＩ情報に命令コードが含まれているかどうかを判断し（ステップＳ３）、含まれていない場合は、複合機１に設定されている通常の画像データ処理を行う（ステップＳ７）。つまり、複合機１のファクシミリ受信した画像データの処理として、例えば、即刻プリントが設定されている場合は、プリンタ１６にて記録用紙に出力する。或いは、見てからプリントが設定されている場合は、ファクシミリを受信したことをユーザに報知する。
【０１１４】
一方、ＴＳＩ情報に命令コードが含まれている場合は、続いて、主制御部１２は、取得した発信元電話番号情報が、第１発信元電話番号テーブル５に登録されているかどうかを判断し（ステップＳ４）、含まれていない場合は、前記したステップＳ７に移行し、複合機１に設定されている通常の画像データ処理を行う。
【０１１５】
そして、主制御部１２は、取得した発信元電話番号情報が、第１発信元電話番号テーブル５に登録されている場合は、命令テーブル６を参照して、ＴＳＩ情報に含まれている命令コードの処理を決定し（ステップＳ５）、決定された処理（命令コードの命令に従った処理）を実行する（ステップＳ６）。決定された処理は、当該ファクシミリ通信にて受信した画像データに対する処理である場合もあれば、指定フォルダ返信処理のように、受信した画像データに対する処理に対する命令を含まない場合もある。
【０１１６】
以上のように、本実施の形態の通信端末装置が前提としているファクシミリ通信システムにおいては、発信元電話番号通知サービスの提供により、受信側に発信元を知らせるといった役目のなくなったＴＳＩ情報を使って、発信元より、受信側の複合機１に対して、これから送信する画像データに対する処理など、受信側の複合機１にて実施させる処理を命令することが可能となる。
【０１１７】
したがって、ファクシミリの発信元となるユーザと受信側となるユーザとの間で、受信側のユーザの有する通信端末装置である複合機１の機能に応じて、命令コードにて指定する処理を種々設定しておき、送信元のユーザは、例えばこれからファクシミリ送信しようとする情報の内容や重要性に応じて、受信側の通信端末装置である複合機１に対して、送信する画像データに実施させる処理をＴＳＩ情報にて命令する。これにより、受信側のユーザは、自らの手を煩わせることなく、受信した情報の内容や重要性に応じた仕分け作業を複合機１が自動で実施することとなり、非常に利便性の高いものとなる。
【０１１８】
しかも、テキストデータにて記載されるＴＳＩ情報を用いているので、カデンス回数を検出するための特別な手段を設ける必要がなく、また、ＴＳＩ情報を用いることで、数字にて電話番号を情報に含めることができるので、受信側の複合機１に電話番号が登録されていない相手先への転送も可能となる。また、２０桁で構成されるＴＳＩ情報を利用することで、受信側の通信端末装置が、多数の機能を備えた複合機であったとしても、送信側より、複合機の機能を使いこなすような処理命令も可能になる。
【０１１９】
また、本願出願人が先に提案している新規なファクシミリ通信システムの出願当初明細書中には具体的に記載してはいないが、サブコードを複数設定することで、指定フォルダに格納された画像データを、発信元のユーザが指定した電話番号に送信する処理も可能である。つまり、希望する画像データが格納されているフォルダ情報に加えて、当該画像データを送信する相手先の電話番号をＴＳＩ情報に含めることで、画像蓄積メモリ１９内の指定されている返信用フォルダに保存されている画像データを、指定した相手先へと送信することができる。また、複合機には、インターネットＦＡＸ機能、及びＦＴＰ機能等を搭載したものも多く、E-Mailアドレス等をサブコードで設定することで、このような機能を用いた処理（転送処理）を、送信元のユーザより命令することも可能となる。
【０１２０】
特に、ＴＳＩ情報としてアルファベットを使える機種においては、アルファベットを利用することで、命令コードがより短い桁数にて作成できるだけでなく、E-Mailアドレス等の入力設定がより容易に行えるようになる。
【０１２１】
以下、図１２〜図２７を用いて、上記ファクシミリ通信システムにおける受信側の通信端末装置に適した、本発明に係る本実施形態の通信端末装置としての複合機１Ａについて説明する。上述したように、複合機１Ａは、前述した複合機１の構成を前提としており、複合機１の構成を全て有している。そのため、以下においては、複合機１Ａの説明としては、複合機１と同じ機能についての説明は省略し、付加されている機能についてのみ説明する。
【０１２２】
本実施形態の複合機１Ａにおいては、命令実施処理プログラムに加えて、情報開示処理プログラム、及び命令処理管理プログラムが格納されている。
【０１２３】
情報開示処理プログラムは、当該複合機１Ａが命令実施処理プログラムにて処理を実施する場合に、命令された処理内容を示す情報を少なくとも含む命令処理情報を、少なくとも当該複合機１Ａのユーザ（受信側のユーザ）に開示する処理を行う処理プログラムである。そして、本実施形態の複合機１Ａでは、当該複合機１Ａのユーザに加えて、転送等の処理の場合には、画像データを受け取る相手先（転送先）のユーザにも、命令された処理内容を示す情報を少なくとも含む命令処理情報を、開示するようになっている。
【０１２４】
具体的には、印刷（プリントアウト）する画像データに命令処理情報を合成したり、転送される画像データに命令処理情報を付加したり、転送時や印刷時に、操作表示部２１のディスプレイに命令処理情報を表示したりする。
【０１２５】
命令処理情報は、少なくとも命令された処理内容を示す情報を含み、その他、命令された処理に関する情報、例えば処理を命じた送信元の名称や、印刷時刻やフォルダが指定されている場合は、印刷時刻やフォルダ番号（フォルダＩＤ）等含めてもよい。また、命令処理情報は、同じ処理内容に関するものであっても、画像データの画像（処理の対象となる本来の画像データの画像）に合成されて印刷処理される場合と、ディスプレイに表示される場合とで、異なっていてもよい。
【０１２６】
一方、命令処理管理プログラムは、当該複合機１Ａに対して、命令実施処理プログラムにて実施するよう命令された処理について、少なくとも、命令された日時の情報、命令した送信元の情報、及び命令された処理の内容を示す情報を、命令された処理の実施に関する結果の情報と共に記録して管理する処理プログラムである。
【０１２７】
具体的には、命令された処理ごとに、少なくとも、命令を受けた日時の情報、命令した送信元電話番号の情報、命令された処理の内容を示す情報、命令された処理の実施に関する結果の情報を記録していくことで情報管理テーブルを作成し、作成した情報管理テーブルに基づいて、命令指示元（送信元）ごとの命令内容や回数等を集計する。また、命令されて処理を実施した場合に、予め設定されている所定のアドレスへ命令されて処理を行ったことを報告する報告メールを作成したり、命令した送信元電話番号の情報及び命令された処理の内容を示す情報を通信記録表に反映させたりする。
【０１２８】
なお、これら情報開示処理プログラム、命令処理管理プログラムは、システムメモリ１３に格納されている。
【０１２９】
主制御部〔情報開示手段、命令処理情報作成手段、画像データ合成手段、位置設定手段、調整手段、メール本文追加手段〕１２は、システムメモリ１３内の情報開示処理プログラムに基づいて、システムメモリ１３をワークメモリとして利用しつつ複合機１Ａの各部を制御して、情報開示処理を実行する。また、主制御部１２〔命令処理管理手段、情報管理テーブル作成手段、集計手段、実施処理報告手段、管理情報出力手段〕は、システムメモリ１３内の命令処理管理プログラムに基づいて、システムメモリ１３をワークメモリとして利用しつつ複合機１Ａの各部を制御して、命令処理管理処理を実行する。
【０１３０】
図１２に、情報開示処理及び命令処理管理処理を実施する、本複合機１Ａの機能ブロック図を示す。前述した複合機１の機能ブロック図である図１と比較すると分かるように、本複合機１Ａは、一時記憶部５５、命令処理情報付加部６０、命令処理情報表示制御部８０、命令処理管理部７０、メッセージテーブル８５、情報管理テーブル７５をさらに備えている。また、第１発信元電話番号テーブル５に換えて、第２発信元電話番号テーブル５Ａを備えている。第２発信元電話番号テーブル５Ａは、図１３に示すように、発信元電話番号に対応付けて送信元（発信元）の名称を格納している。
【０１３１】
一時記憶部５５は、処理決定部４がＴＳＩ情報に含まれている命令コードより実施すべき処理を決定すると、当該処理に関する情報を一時的に記憶するものである。本実施形態では、一時記憶部５５には、当該処理に関する情報として、少なくとも、ファクシミリの受信日時、発信元電話番号、ＴＳＩ情報（命令コード）が記憶される。なお、一時記憶部５５における「一時」といった文言は、後述する情報管理テーブルの記憶と区別するために用いているだけであり、複合機１Ａの電源オフにて全て消去されるといった意味ではない。
【０１３２】
命令処理情報付加部（情報開示手段）６０は、命令処理情報を作成し、作成した命令処理情報を、印刷する画像データ（処理の対象の本来の画像データ）に合成したり、ファクシミリにて転送する画像データ（処理の対象の本来の画像データ）に合成したりするものである。
【０１３３】
命令処理情報付加部６０は、一時記憶部５５に格納されているＴＳＩ情報（命令コード）を基に、メッセージテーブル８５を参照して、処理の内容を示すメッセージ情報（命令された処理内容を示す情報）を取得する。
【０１３４】
メッセージテーブル８５には、命令コードで示される処理の内容を示すメッセージ情報が格納されている。図１４に、メッセージテーブル８５の一例を示す。図１４に示すように、ＴＳＩ情報（命令コード）に対応つけてメッセージ情報を格納している。本実施形態では、同じＴＳＩ情報に対し、印刷用と表示用とで別々のメッセージ情報を格納している。図１４は、印刷用の一部を示している。図１４においては、例えば、時刻指定プリントのＴＳＩ情報「＋＋＃００２」に対応付けて、「時刻指定プリント○月○日○時○分」のメッセージ情報が格納されていることを示している。
【０１３５】
また、命令処理情報付加部６０は、一時記憶部５５に格納されている発信元電話番号を基に、第２発信元電話番号テーブル５Ａを参照して発信元名称を取得する。そして、メッセージ情報及び発信元名称を含む、命令処理情報を作成する。
【０１３６】
命令処理情報表示制御部（情報開示手段）８０は、命令処理情報付加部６０と同様にして、命令処理情報を作成し、時刻指定プリントの印刷時や、転送処理時、指定フォルダ返信処理時等に、操作表示部２１のディスプレイに表示するものである。
【０１３７】
命令処理管理部（命令処理管理手段）７０は、命令実施処理プログラムにて実施する処理の命令を受け付けると、一時記憶部５５に格納されている情報を基に、少なくとも、命令された日時の情報、命令した送信元の情報、及び命令された処理の内容を示す情報を、命令された処理の実施に関する結果の情報と共に記録して管理するものである。これら情報は、情報管理テーブル７５に格納される。
【０１３８】
本実施形態では、情報管理テーブル７５は、例えば、管理用連番に対応つけて、受信日時、発信元電話番号、ＴＳＩ情報、画像枚数、通信結果、指定時刻、待機日数、実行ファイル情報等を格納している。ここで、ＴＳＩ情報は、命令された処理内容を示す情報として格納している。情報管理テーブルは、パラメータメモリ１４に作成される。なお、情報管理テーブル７５の詳細については図２６を用いて後述する。
【０１３９】
また、命令処理管理部７０は、作成した情報管理テーブル７５に基づいて、命令指示元（送信元）ごとの命令内容及びその回数等を集計する。また、命令されて処理を実施した場合に、予め設定されている所定のアドレスへ命令されて処理を行ったことを報告する報告メール（E-Maiｌ）を作成したり、命令した送信元電話番号の情報及び命令された処理の内容を示す情報を通信記録表に反映させたりする。
【０１４０】
なお、本実施形態では、一時記憶部５５を設けて、命令された処理に関する情報を記憶するようにしたが、一時記憶部５５を設けなくてもよい。つまり、命令された処理に関する情報を、情報管理テーブル７５に直接記録し、命令処理情報付加部６０、命令処理情報表示制御部８０が、情報管理テーブル７５より、命令コード等の必要は情報を取得する構成としてもよい。
【０１４１】
まず、命令処理情報を開示する情報開示処理について説明する。図１５に、情報開示処理を実行する命令処理情報付加部６０及び命令処理情報表示制御部８０の機能ブロック図を示す。
【０１４２】
命令処理情報付加部６０は、命令処理情報作成部（命令処理情報作成手段）６１、画像データ合成部（画像データ合成手段）６２、メール本文追加部（メール本文追加手段）６３、ハイパーリンク付きメール作成部６４、位置設定部（位置設定手段）６５、及び調整部（調整手段）６６を備えている。
【０１４３】
命令処理情報作成部６１は、図１２に示す一時記憶部５５よりＴＳＩ情報を取得し、取得したＴＳＩ情報を基にメッセージテーブル８５を参照して命令された処理内容を示すメッセージ情報（印刷用、メール付加用）を特定する。例えば、一時記憶部５５より取得したＴＳＩ情報が、「＋＋＃００２」である場合、「時刻指定プリント○月○日○時○分」のメッセージ情報を取得する。そして、一時記憶部５５より取得できる、受信日時と指定された時刻の情報を基に、「○月○日○時○分」の部分の情報も作成する。なお、受信した時刻によっては、指定された時刻では日付が変わる場合があるが、この場合は、受信日時の翌日が設定される。
【０１４４】
また、命令処理情報作成部６１は、一時記憶部５５より発信元電話番号を取得し、所得した発信元電話番号を基に、第２発信元電話番号テーブル５Ａを参照して発信元名称を取得する。命令処理情報作成部６１は、このようにして取得したメッセージ情報と発信元名称とを含む命令処理情報を作成する。
【０１４５】
画像データ合成部６２は、命令処理情報作成部６１で作成した命令処理情報を、ファクシミリ受信した画像データ等の、処理の対象となる本来の画像データに合成するものである。画像データ合成部６２は、位置設定部６５より、処理の対象となる本来の画像データの画像に命令処理情報の画像を合成する際の位置情報を取得する。位置設定部６５には、命令処理情報の画像の合成位置の情報が予め設定されている。該情報は、本来の画像データの枠外に命令処理情報が印刷されるように設定されている。
【０１４６】
図１６に、本来の画像データの画像に、「時刻指定プリント○月○日○時○分」及び「発信元○○株式会社」を含む命令処理情報３００が合成されて印刷された印刷物Ｐを例示する。
【０１４７】
このように、命令処理情報の画像３００が本来の画像データの画像に合成されて印刷されることで、印刷物Ｐより、当該複合機１Ａを管理している受信側のユーザは、どの送信元よりどのような処理が命令されたかを一目瞭然に把握することができる。これにより、たとえ、自身が管理している通信端末が、何の命令もなく動作を開始したことで、一時的に驚いたり、違和感・不信感を抱いたりしたとしても、命令を把握し、動作を開始した理由を理解することで、驚きや、違和感・不信感を即刻解消させることが可能となる。
【０１４８】
また、図１６の例では、命令処理情報の画像３００は、本来の画像データの印刷領域外の余白部分に印刷されている。このように、命令処理情報の画像３００を余白部分に印刷させることで、本来の画像の一部が視認しずらくなるといった不具合の招来を回避することができる。
【０１４９】
調整部６６は、本来の画像データの画像と命令処理情報の画像３００とを、位置設定部６５から取得した合成位置の情報をもとに合成したときに、画像同士が重畳するかどうかを判断するものである。そして、一部でも重畳すると判断すると、本来の画像データの画像の縮小、命令処理情報の画像３００の縮小、及び命令処理情報の画像３００の合成位置の変更、のうちの少なくとも何れか１つを実施して、重畳しないように合成の条件の調整を行うものである。なお、本来の画像データの画像には、ファクシミリ受信した画像データの画像以外に、指定フォルダ返信処理における指定フォルダの画像データの画像等も含まれる。
【０１５０】
例えば、図１７に示すように、本来の画像データの画像が、位置設定部６５にて命令処理情報の画像３００の合成位置を設定したときの画像よりも大きく、命令処理情報の画像３００を設定位置にそのまま合成した場合、本来の画像と重なってしまう。
【０１５１】
調整部６６は、このような場合に、命令処理情報の画像３００を縮小したり、重ならないように合成位置をずらしたり変更したりする。或いは、本来の画像の方を、命令処理情報の画像３００と重ならないように縮小したりする。
【０１５２】
画像データ合成部６２は、このような調整部６６にて調整された合成の条件にしたがって、画像データを合成する。図１７に示す例では、命令処理情報の画像の合成位置を、ページの上右側に変更することで、画像の重なりを回避することができる。
【０１５３】
また、調整部６６の調整の別の手法として、印刷する用紙サイズを、指定された用紙サイズよりも一回り大きなものに変更するといった方法も考えられる。その他、画像データの画像をＯＣＲ解析して、画像データの画像を用紙Ｐに印刷した場合に最も広く空く用紙４辺のうちの１辺を見つけ出し、見つけた１辺に命令処理情報の画像３００を合成するようにしてもよい。
【０１５４】
本来の画像データの画像を、ファクシミリにて転送する場合には、このようにして、画像データ合成部６２で、本来の画像データの画像に命令処理情報の画像３００が合成された画像データが送信されることとなる。
【０１５５】
メール本文追加部６３は、処理の対象となる本来の画像データを、インターネットＦＡＸでの送信処理が命令された場合に、命令処理情報をE-Mailのメール本文に追加するものである。インターネットＦＡＸでは、画像データをE-Mailに添付して送信するので、画像データが添付されるE-Mailの本文に、命令処理情報を追加する。メッセージ情報は、印刷用と表示用に加えて、挨拶文等に追加するのに適した、より文章的なメール用が作成されていてもよい。
【０１５６】
ハイパーリンク付きメール作成部６４は、ファクシミリ受信した画像データを、ＦＴＰ機能を用いてファイルサーバに画像ファイルを転送するような、E-Mail以外のデータ転送が命令された場合に、ファイルサーバに転送した画像ファイルにアクセスするためのリンク情報が付加されたハイパーリンク付きメールを作成し、これに命令処理情報を追加するものである。
【０１５７】
図１８に、処理の対象となる本来の画像データを格納した画像ファイルを、ＦＴＰ機能にてファイルサーバに画像送信し、転送先にハイパーリンク付きのE-Mailを作成して送信する処理のイメージを示す。
【０１５８】
複合機１Ａが、ファクシミリ受信した画像データ等の本来の画像データを含む画像ファイルをファイルサーバへ送信する(1)。この送信機能としては、ＦＴＰやＳＭＢ、ＨＴＴＰ、共有フォルダへの送信等がある。
【０１５９】
次に、複合機１Ａは、ファイルサーバに保持された画像ファイルへアクセスするためのリンク情報が記載されたハイパーリンク付きE-Mailを作成して転送先（相手先）に送る(2)。転送先ユーザ（相手先ユーザ）は、ハイパーリンク付きE-Mailで受け取ったリンク情報を用いてファイルサーバに画像ファイルを要求し(3)、ファイルサーバより画像ファイルを取得する(4)。
【０１６０】
ハイパーリンク付きメール作成部６４は、上記(2)のハイパーリンク付きE-Mailの作成時にメールに命令処理情報を含める。
【０１６１】
これにより、ハイパーリンク付きE-Mailを受け取った転送先のユーザは、複合機１Ａより画像ファイルが転送されてきた処理が、ＩＤＳ情報にて処理を命じたファクシミリ発信元のユーザからの指示であるこを認識することができる。
【０１６２】
例えば、転送先ユーザが、複合機１Ａを有するユーザ（受信側のユーザ）を知らない場合、見知らぬユーザより届いた画像ファイルを取得することを躊躇することが考えられる。これによれば、どのような経緯で複合機１Ａの知らないユーザから、ハイパーリンク付きE-Mailが送信されてきて、画像ファイルの取得を要請されているのかを容易に把握することができる。したがって、たとえ一瞬、違和感を抱いて、ファイルサーバへのアクセスを躊躇したとしてもすぐに解消され、転送先ユーザは、安心して上記(3)(4)の動作を行い、画像ファイルを取得することができる。
【０１６３】
図１９〜図２２のフローチャートに、印刷処理、ファクシミリ送信処理（ファクシミリによる画像データの送信処理）、E-Mail送信処理（E-Mailによる画像データの送信処理）、及びE-Mail以外の送信処理（E-Mail以外による画像データの送信処理）において、命令処理情報付加部６０にて実施される情報開示処理の手順を示す。
【０１６４】
まず、図１９に、印刷処理が命令された場合の情報開示処理の手順を示す。時刻指定プリントや期間保持プリント、見てからプリントにおいては、指定された時刻に到達するまで、或いは指定された待機期間が過ぎるまで、或いは、印刷実行が指示されるまで、プリントジョブを待機ジョブとして管理している。
【０１６５】
印刷処理が命令され、印刷処理を実行するタイミング、例えば、指定時刻に到達したタイミング、或いは指定された期間の待機が完了したタイミング、或いは見てからプリントで印刷実行が指示されると、命令処理情報作成部６１が、メッセージテーブルを参照して、命令された処理の内容を示すメッセージ情報をまず取得する（Ｓ２１）。
【０１６６】
次に、命令処理情報作成部６１が、第２発信元電話番号テーブルを参照して、処理を命令した発信元名称を取得する（Ｓ２２）。次に、命令処理情報作成部６１が、取得したメッセージ情報と発信元名称とを含む命令処理情報を作成する（Ｓ２３）。
【０１６７】
このようにして命令処理情報が作成されると、画像データ合成部６２が位置設定部６５より命令処理情報の合成位置の情報を取得する（Ｓ２４）。次に、調整部が、画像データ合成部６２が取得した合成位置の情報と画像データの画像領域とを比較して、画像同士の重なりが生じるかどうかを判断し、生じる場合は調整要と判断する（Ｓ２５）。
【０１６８】
Ｓ２５で、調整要と判断した場合は、調整部６６は、命令処理情報の画像の合成位置を調整したり、変更したり、命令処理情報の画像を縮小したり、或いは本来の画像（ファクシミリ受信した画像データの画像）の方を縮小したりして、画像同士が重ならないように調整する（Ｓ２６）。なお、Ｓ２５で、調整不要と判断した場合は、Ｓ２６はスキップして、Ｓ２７に進む。
【０１６９】
Ｓ２７では、画像データ合成部が、位置設定部６５より所得した合成位置、或いは調整部６６にて調整された合成の条件にて、命令処理情報の画像を合成し、合成画像データを生成する。命令処理情報付加部６０は、このようにして生成された合成画像データを各種処理部７に属するプリンタ１６に送る。これにより、プリンタ１６が印刷処理を実行する（Ｓ２８）。
【０１７０】
図２０に、ファクシミリ送信処理（ファクシミリにて画像データを転送する処理）が命令された場合の情報開示処理の手順を示す。Ｓ３１〜Ｓ３７までの処理は、図１９のＳ２１〜Ｓ２７までの処理と同じである。但し、図１９は、印刷処理であったので、Ｓ２７では印刷画像に命令処理情報の画像を合成するとしたが、図２０は、ファクシミリ送信処理であるため、Ｓ３７では、送信画像（印刷画像に同じ）に命令処理情報の画像を合成して合成画像データを生成する。
【０１７１】
Ｓ３８では、命令処理情報付加部６０が、このようにして生成された合成画像データを各種処理部７に属するファクシミリ通信部に送る。これにより、ファクシミリ通信部が、生成された合成画像データをファクシミリ送信する処理を実行する。
【０１７２】
図２１に、インターネットＦＡＸ等のE-Mail送信処理（E-Mailに添付して転送する処理）が命令された場合の情報開示処理の手順を示す。Ｓ４１〜Ｓ４３までの処理は、図１９のＳ２１〜Ｓ２３の処理と同じである。
【０１７３】
Ｓ４４では、作成した命令処理情報を、メール本文追加部６３が画像データが添付されるE-Mailの本文に追加する。Ｓ４５では、命令処理情報付加部６０が、このようにして生成されたE-Mail本文とこれに添付された画像データを、各種処理部７に属するE-Mail送信部に送る。これにより、E-Mail送信部が、画像データと共に命令処理情報は追加されたメール本文をE-Mail送信する処理を実行する。
【０１７４】
図２２に、ＦＴＰ機能でファイルサーバに画像ファイルを格納するなどのE-Mail送信以外の送信処理（画像ファイルを所定のファイルサーバに転送する処理）が命令された場合の情報開示処理の手順を示す。Ｓ５１〜Ｓ５３までの処理は、図１９のＳ２１〜Ｓ２３の処理と同じである。
【０１７５】
Ｓ５４では、命令処理情報付加部６０が、画像ファイルを各種処理部７に属するＦＴＰ部に送り、ＦＴＰ部が画像ファイルを、ファイルサーバに送信する処理を実行する。Ｓ５５では、ハイパーリンク付きメール作成部６４が、作成した命令処理情報と、画像ファイルへのアクセスを可能とするリンク情報と、を含むハイパーリンク付きメールを作成する。Ｓ５６では、命令処理情報付加部６０が、このようにして生成されたハイパーリンク付きメールを、各種処理部７に属するE-Mail送信部に送る。これにより、E-Mail送信部が、ハイパーリンク付きメールを転送先に送信する処理を実行する。
【０１７６】
一方、図１５に示すように、命令処理情報表示制御部８０は、命令処理情報作成部８１、表示データ作成部８２を備えている。
【０１７７】
命令処理情報作成部８１は、前述の命令処理情報作成部６１とほぼ等しい機能であるが、ここでは、メッセージテーブル８５を参照して命令された処理内容を示すメッセージ情報（表示用）を特定して、命令処理情報を作成する。
【０１７８】
表示データ作成部８２は、所定の表示フォーマットにて、命令処理情報作成部８１で作成された命令処理情報を表示する表示データを作成するものである。命令処理情報表示制御部８０は、表示データ作成部８２にて作成された表示データにより、命令処理情報を操作表示部２１のディスプレイに表示する。
【０１７９】
図２３に、ファクシミリ受信した画像データを指定時刻に印刷する「時刻指定プリント」処理の実行中に、操作表示部２１のディスプレイに表示される命令処理情報を例示する。この例では、「送信元○○からの指示により実行」といったメッセージと共に、命令された「時刻指定プリント」の処理内容について説明するメッセージとが表示されている。
【０１８０】
図２４のフローチャートに、操作表示部２１のディスプレイに命令処理情報を表示する情報開示処理の手順を示す。
【０１８１】
命令処理情報表示制御部８０は、命令実施処理を実行するタイミングであるかどうかを判断する（Ｓ６１）。例えば、画像データの転送処理が命令され、画像データの転送を開始するときや、時刻指定プリントが命令され、指定時刻に到達したタイミングになると、ＹＥＳと判断する。
【０１８２】
ＹＥＳと判断すると、命令処理情報作成部８１が、メッセージテーブル８５を参照して、命令された処理の内容を示すメッセージ情報を取得する（Ｓ６２）。次に、命令処理情報作成部８１が、第２発信元電話番号テーブル５Ａを参照して、処理を命令した発信元名称を取得する（Ｓ６３）。続いて、命令処理情報作成部８１が、取得したメッセージ情報と発信元名称とを含む命令処理情報（表示用）を作成する（Ｓ６４）。
【０１８３】
このようにして命令処理情報が作成されると、表示データ作成部８２が命令処理情報の表示データを作成し（Ｓ６５）、表示データに基づいて、命令処理情報表示制御部８０が操作表示部２１のディスプレイに命令処理情報を表示する（Ｓ６６）。
【０１８４】
その後、命令処理情報表示制御部８０は、転送や印刷等の命令された処理が終了したか否かを判断し（Ｓ６７）、終了したと判断すると、命令処理情報の表示を終了する（Ｓ６８）。
【０１８５】
次に、本複合機１Ａのもう一つの機能である命令処理管理処理について説明する。なお、本複合機１Ａでは、情報開示処理と命令処理管理処理の両方を備える構成としているが、情報開示処理と命令処理管理処理とは、互い独立して機能するよう構成することもできる。
【０１８６】
図２５に、命令処理管理処理を実行する命令処理管理部（命令処理管理手段）７０の機能ブロック図を示す。
【０１８７】
命令処理管理部７０は、情報管理テーブル作成部（情報管理テーブル作成手段）７１、管理情報集計部（管理情報集計手段）７２、実施処理報告部（実施処理報告手段）７３、及び管理情報出力部（管理情報出力手段）７４を備えている。
【０１８８】
情報管理テーブル作成部７１は、図２６に示すような情報管理テーブル７５を作成するものである。情報管理テーブル作成部７１は、一時記憶部５５に一時的に記憶されている、命令された処理に関する情報より、ファクシミリの受信日時、発信元電話番号、ＴＳＩ情報（命令コード）を取得する。そして、情報管理テーブル作成部７１は、管理用連番に対応つけて、受信日時、発信元電話番号、ＴＳＩ情報、画像枚数、指定時刻、待機日数、転送先情報、実行ファイル情報等を、結果情報と共に情報管理テーブル７５に格納する。ここで、指定時刻、待機日数、転送先情報、実行ファイル情報等は、ＴＳＩ情報に含まれる命令コードのサブコードより取得する。
【０１８９】
「結果情報」には、処理を実行した日時の情報である「実行日時」の情報、処理が完了したかどうかを示す「完了結果」の情報を含む。また、転送などの通信ネットワークを使用する処理の場合は、通信に要した時間の情報である「通信時間」の情報等も含まれる。
【０１９０】
図２６に、情報管理テーブル７５の一例を示す。この例では、管理用連番に対応付けて、命令された各処理がファクシミリの受信順に格納されている。ここで、「受信日時」の情報の「100618_103025」は、「２０１０年６月１８日１０時３０分２５秒」に、処理を命令するファクシミリ受信したことを示している。結果情報の「実行日時」の情報もこれと同じであり、これにおいては、処理を完了した時刻を表している。なお、結果情報は、命令された処理を実施し終えたタイミングで格納される。「完了結果」の情報は、正常に処理が完了した場合は「１」が、正常に終了しなかった場合は「０」が格納される。
【０１９１】
また、この例では、「画像枚数」の情報を用紙サイズ毎に管理し、「結果情報」として「通信時間」を含め、また、「実行ファイル情報」としてファイルの「サイズ」の情報も含めている。これは、処理を命令したファクシミリ送信元への課金を想定しているためである。このように用紙サイズ毎の画像枚数や通信時間、ファイルサイズの情報を管理しておくことで、発信元電話番号のユーザに対して、画像枚数や通信時間に応じた料金請求が可能となる。
【０１９２】
管理情報集計部７２は、情報管理テーブル７５に基づいて、命令した送信元電話番号ごとに、管理している情報の集計を可能とするものである。
【０１９３】
例えば、操作表示部２１を用いて、複合機１Ａのユーザが、集計項目として、命令された処理の内容及びその回数を指定し、集計を行う期間、例えば、過去○ヶ月、或いは○年○月○日〜△年△月△日というように期間を指定することで、命令した送信元電話番号ごとに、処理の内容及びその回数を集計することができる。また、集計項目として、通話時間を指定することで、発信元電話番号ごとの、所定期間におけるトータル通話時間を集計させるといったことも可能である。
【０１９４】
集計結果は、各種処理部７に属するプリンタ１６に送って印刷させたり、各種処理部７に属するE-Mail送信部に送って、所定のアドレスにメール送信したりすることができる。また、操作表示部２１のディスプレイが大型のもので、多くの情報を表示可能であれば、ディスプレイに表示させるようにすることもできる。
【０１９５】
このように、発信元電話番号ごとに管理情報の集計を可能としておくことで、各発信元電話番号の、本複合機１Ａに対する命令処理の内容を容易に把握することができる。この機能を用いることで、発信元電話番号の本機能の利用の仕方を容易に解析することが可能となり、命令実施処理プログラムによる処理の命令を、発信元電話番号に応じて規制したり、制限したりする際に有効利用できる。
【０１９６】
図２７に、管理情報集計部７２にて集計され、印刷された集計結果表の一例を示す。図２７の例では、ある指定期間における各発信元電話番号の、各種転送処理の回数及びトータル通信時間を集計している。
【０１９７】
実施処理報告部７３は、命令されて処理を実施した場合に、予め設定されている所定のアドレスへ、命令されて処理を行ったことを報告する報告メール（E-Maiｌ）を作成するものである。命令処理管理部７０は、このようにして作成された報告メールを、各種処理部７に属するE-Mail送信部に送る。これにより、E-Mail送信部が、報告メールを所定のアドレスに送信する。
【０１９８】
ここで、所定のアドレスとしては、本複合機１Ａを管理している管理者のアドレス等が考えられる。このような報告手段を設けておくことで、本複合機１Ａの管理者は、複合機１Ａの設置場所とは離れた場所にいながらにして、各発信元電話番号のユーザによる本複合機１Ａの使い方（命令実施処理プログラムを用いた使い方）を、把握することができる。
【０１９９】
実施処理報告部７３は、命令された処理が完了し、情報管理テーブル７５への当該処理の書き込みが完了したときに、その内容に基づいて報告メールを作成する構成としてもよい。
【０２００】
管理情報出力部７４は、通信記録を管理して通信記録表を作成する通信記録表作成部（通信記録表作成手段）９０（図２５参照）に対して、通信を伴う処理を行った際に、少なくとも、発信元電話番号の情報と命令内容（指示内容）の情報とを出力するものである。これにより、通信記録表作成部９０では、通信記録表の項目の１つに処理内容を表す項目を追加する。通信記録表作成部９０は、作成した通信記録表のデータを、各種処理部７に属するプリンタ１６に送る。これにより、プリンタ１６が、通信記録表を印刷する。
【０２０１】
本複合機１Ａのユーザ（受信側のユーザ）は、通信記録表を出力させることで、どの発信元からどのような処理がなされたかを容易に確認することができる。ここで、通信記録表からの発信元情報の把握を容易にするために、発信元電話番号と共に、第２発信元電話番号テーブル５Ａを参照して得られる発信元名称を出力するようにしてもよい。また、同様に、命令内容を示す項目として、ＴＳＩ情報の命令コードそのものでもよいが、メッセージテーブル８５と同様の、命令コードに対応した処理内容をユーザ文言に置き換える対応表を設けておき、処理内容をユーザ文言に置き換えて出力するようにしてもよい。
【０２０２】
これにより、本複合機１Ａのユーザは、通信記録表を出力させることで、各発信元電話番号のユーザによる本複合機１Ａの使い方（命令実施処理プログラムを用いた使い方）を、把握することができる。
【０２０３】
管理情報出力部７４は、命令された処理が完了し、情報管理テーブル７５への当該処理の書き込みが完了したときに、その内容に基づいて通信記録表作成部９０に対して情報を出力する構成としてもよい。また、情報管理テーブル７５に基づいて、通信記録表作成部９０から要求されたときに、これにしたがって、情報を出力する構成とすることもできる。
【０２０４】
上記各実施形態において、複合機１Ａに備えられる、処理決定部４、命令処理管理部７０、命令処理情報付加部６０、命令処理情報表示制御部８０は、ＣＰＵ等のプロセッサを用いてソフトウェアによって実現される。すなわち、複合機１Ａには、各機能を実現する制御プログラムの命令を実行するＣＰＵ（central processing unit）、上記プログラムを格納したＲＯＭ（read only memory）、上記プログラムを展開するＲＡＭ（random access memory）、上記プログラム及び各種データを格納するメモリ等の記憶装置（記録媒体）などを備えている。そして、本発明の目的は、上述した機能を実現するソフトウェアである複合機１Ａの制御プログラムのプログラムコード（実行形式プログラム、中間コードプログラム、ソースプログラム）をコンピュータで読み取り可能に記録した記録媒体を、複合機１Ａに供給し、そのコンピュータ（またはＣＰＵやＭＰＵ）が記録媒体に記録されているプログラムコードを読み出し実行することによって達成される。
【０２０５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２０６】
また、複合機１Ａを通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０２０７】
また、複合機１Ａに備えられる、処理決定部４、命令処理管理部７０、命令処理情報付加部６０、命令処理情報表示制御部８０は、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０２０８】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０２０９】
１            複合機（通信端末装置）
１Ａ          複合機（通信端末装置）
４            処理決定部
７            各種処理部
６０          命令処理情報付加部（情報開示手段）
６１          命令処理情報作成部（命令処理情報作成手段）
６２          画像データ合成部（画像データ合成手段）
６３          メール本文追加部（メール本文追加手段）
６４          ハイパーリンク付きメール作成部
７０          命令処理管理部（命令処理管理手段）
７１          情報管理テーブル作成部（情報管理テーブル作成手段）
７２          管理情報集計部（管理情報集計手段）
７３          実施処理報告部（実施処理報告手段）
７４          管理情報出力部（管理情報出力手段）
７５          情報管理テーブル
８０          命令処理情報表示制御部（情報開示手段）
８１          命令処理情報作成部（命令処理情報作成手段）
８２          表示データ作成部（表示データ作成手段）
８５          メッセージテーブル
９０          通信記録表作成部（通信記録表作成手段）
【図１】
2012039233.tif 000003
【図２】
2012039233.tif 000004
【図３】
2012039233.tif 000005
【図４】
2012039233.tif 000006
【図５】
2012039233.tif 000007
【図６】
2012039233.tif 000008
【図７】
2012039233.tif 000009
【図８】
2012039233.tif 000010
【図９】
2012039233.tif 000011
【図１０】
2012039233.tif 000012
【図１１】
2012039233.tif 000013
【図１２】
2012039233.tif 000014
【図１３】
2012039233.tif 000015
【図１４】
2012039233.tif 000016
【図１５】
2012039233.tif 000017
【図１６】
2012039233.tif 000018
【図１７】
2012039233.tif 000019
【図１８】
2012039233.tif 000020
【図１９】
2012039233.tif 000021
【図２０】
2012039233.tif 000022
【図２１】
2012039233.tif 000023
【図２２】
2012039233.tif 000024
【図２３】
2012039233.tif 000025
【図２４】
2012039233.tif 000026
【図２５】
2012039233.tif 000027
【図２６】
2012039233.tif 000028
【図２７】
2012039233.tif 000029